【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
フィルタエレメントであって：
互いに離間する一対の端部を有するとともに、対向する一対の側部の間を横方向に延在する巻芯と；
前記巻芯の前記側部に巻かれる溝付きのフィルタ媒体のシートと；
前記巻芯の前記側部の少なくとも一方に形成される圧力除去用の切り込みと；
前記圧力除去用の切り込みの内部に少なくとも部分的に受け入れられる接着剤であって、前記溝付きのフィルタ媒体を前記巻芯に固定する前記接着剤とを備える；
フィルタエレメント。
【請求項２】
前記巻芯は、前記対向する端部および前記対向する側部の間に画成される一対の対向面と、前記対向する端部を貫通する巻き軸とを有し、前記溝付きのフィルタ媒体は前記巻き軸にコイル状に巻き付けられ、前記対向する一対の側部は長軸により離間し、前記一対の対向面は前記長軸に対して横断する短軸により離間し、前記長軸は前記短軸よりも全長が長く、前記圧力除去用の切り込みは前記短軸および巻き軸と平行な面と交差し、前記長軸に沿って前記巻き軸から前記巻芯の延出部へとオフセットするように構成された、請求項１のフィルタエレメント。
【請求項３】
前記巻芯は、前記対向する端部と前記対向する側部との間に画成される一対の対向面を有し、前記圧力除去用の切り込みは前記一対の対向面の両方を完全に貫通し、前記巻芯の前記側部の少なくとも一方に及ぶように構成された、請求項１のフィルタエレメント。
【請求項４】
前記溝付きのフィルタ媒体は、屈曲シートに固定される面シートを備え、前記屈曲シートは複数の入口溝および出口溝を形成する山と谷とを有し、前記圧力除去用の切り込みは、略前記対向する一対の側部相互の間の方向において深さを有し、前記深さは前記圧力除去用の切り込みに隣接する前記一対の対向面相互の間において測定される前記巻芯の厚さの略半分の値となるように構成された、請求項１乃至請求項３のいずれか一項のフィルタエレメント。
【請求項５】
前記巻芯は、前記対向する端部と前記対向する側部との間で画成される一対の対向面を有し、前記溝付きのフィルタ媒体は屈曲シートに固定される面シートを有し、前記屈曲シートは複数の入口溝および出口溝を形成する山と谷とを有し、一連の前記接着剤は前記屈曲シートを渡って塗布されて前記圧力除去用の切り込みと整列し、前記接着剤の厚肉領域は前記一連の接着剤において前記圧力除去用の切り込みの内部に位置するように構成された、請求項１のフィルタエレメント。
【請求項６】
前記接着剤は、実質的にその全体にわたってガスポケットを有する膨張、発泡性の接着剤であり、前記膨張、発泡性の接着剤は実質的に前記圧力除去用の切り込みを充填し、膨張して前記屈曲シートを接着封止するように構成された、請求項１乃至請求項５のいずれか一項のフィルタエレメント。
【請求項７】
前記圧力除去用の切り込みの内部へ少なくとも部分的に受け入れられる前記接着剤は、前記圧力除去用の切り込みの外周面と、前記溝付きのフィルタ媒体の屈曲シートと、前記巻芯を前記溝付きのフィルタ媒体の端部に固定するテープとに固定されるように構成された、請求項１乃至請求項６のいずれか一項のフィルタエレメント。
【請求項８】
前記少なくとも１つの側部に対向する側部は追加された圧力除去用の切り込みを有し、前記追加された圧力除去用の切り込みは、前記圧力除去用の切り込みと前記追加された圧力除去用の切り込みが前記一対の対向する側部において互いに略整列するように、前記圧力除去用の切り込みと同一の距離で前記一対の端部の間に配設されるように構成された、請求項１乃至請求項７のいずれか一項のフィルタエレメント。
【請求項９】
前記圧力除去用の切り込みと前記追加された圧力除去用の切り込みは、前記巻芯の横断するクロスメンバーにより離間され、前記横断するクロスメンバーは前記一対の対向する側部を略横断して配設され、前記一対の対向する側部および前記一対の対向する端部に対して所定の角度で配向された角度が設けられたクロスメンバーにより支持されるように構成された、請求項８のフィルタエレメント。
【請求項１０】
前記一対の対向する側部の各々は、さらなる圧力除去用の切り込みを有し、前記さらなる圧力除去用の切り込みの各々は、前記さらなる圧力除去用の切り込みが前記一対の対向する側部において互いに略整列するとともに、前記圧力除去用の切り込みおよび前記追加された圧力除去用の切り込みからそれぞれ等間隔で離間されるように、前記同一の距離で前記一対の対向する端部の間に配設されるように構成された、請求項８又は請求項９のフィルタエレメント。
【請求項１１】
前記一対の対向する端部の少なくとも一方は、前記巻芯の前記巻き軸周りの駆動を許容するように配向される複数の駆動用の突起を有する、請求項１乃至請求項１０のいずれか一項のフィルタエレメント。
【請求項１２】
前記巻芯に形成される前記圧力除去用の切り込み、前記追加された圧力除去用の切り込み、および前記さらなる圧力除去用の切り込みは、前記巻芯を前記一対の対向面の一方から見た場合にそれぞれ湾曲した外形を有するように構成された、請求項１０のフィルタエレメント。
【請求項１３】
前記圧力除去用の切り込み、前記巻芯、および前記巻芯を前記溝付きのフィルタ媒体に固定するテープは、合同して前記接着剤用のリザーバを形成するように構成された、請求項１乃至請求項１２のいずれか一項のフィルタエレメント。
【請求項１４】
前記巻芯は、前記巻芯を形成する複数のクロスメンバーにより画成される複数の開口領域を有し、前記複数のクロスメンバーの幾つかは、前記対向する側部および前記対向する端部に対して斜めに配向し、前記複数のクロスメンバーの他の幾つかは、前記対向する端部と略平行に配向し、前記対向する側部を横切るように配向するように構成された、請求項１乃至請求項１３のいずれか一項のフィルタエレメント。
【請求項１５】
前記巻芯は、前記一対の対向する側部の各々から見た場合に、非長方形の外形を有するように構成された、請求項１乃至請求項１４のいずれか一項のフィルタエレメント。
【請求項１６】
フィルタエレメントを形成する方法であって：
溝付きのフィルタ媒体と巻芯とを互いに固定するステップと；
前記巻芯と前記溝付きのフィルタ媒体との間に配設されたリザーバに接着剤を流し込むステップと；
前記巻芯に前記溝付きのフィルタ媒体を巻き付けるステップと；
前記接着剤が前記巻芯および前記溝付きのフィルタ媒体の双方と接し、前記フィルタエレメントを通過する漏れ経路の形成を防止するように前記接着剤を前記リザーバの内部で膨張させるステップとを備える；
方法。
【請求項１７】
前記固定するステップは、前記溝付きのフィルタ媒体および前記巻芯を互いに一片のテープによってテープ留めするステップにより構成され、前記流し込むステップの前に、前記テープに添って縦方向に、および前記巻芯と前記溝付きのフィルタ媒体との間に前記接着剤を塗布するステップをさらに備える、請求項１６の方法。
【請求項１８】
前記巻芯の圧力除去用の切り込みの上に配設された前記テープの一部の上に前記接着剤を吐出するステップと、前記溝付きのフィルタ媒体、前記圧力除去用の切り込み、および前記テープによって合同してリザーバを形成するステップとをさらに備える、請求項１７の方法。
【請求項１９】
前記一片のテープを横切る方向で、前記リザーバからおよび前記リザーバを越えて前記溝付きのフィルタ媒体を渡って前記接着剤を吐出するステップをさらに備える、請求項１７又は請求項１８の方法。
【請求項２０】
前記溝付きのフィルタ媒体を渡って塗布される前記接着剤が、前記巻芯の対向する側部および前記溝付きのフィルタ媒体により形成された、追加されたリザーバの内部に受け入れられるように前記巻芯を巻き付けるステップをさらに備え、前記追加されたリザーバの内部の前記接着剤は、膨張して、前記接着剤が前記巻芯および前記溝付きのフィルタ媒体の双方と接し、前記フィルタエレメントを通過する漏れ経路の形成を防止するように構成された、請求項１９の方法。
【請求項２１】
フィルタエレメントを形成する方法であって：
テープを使用して巻芯および溝付きのフィルタ媒体を共にテープ留めするステップと；
前記テープに沿って前記巻芯と前記溝付きのフィルタ媒体との間に縦方向に接着剤を塗布するステップと；
前記巻芯、前記溝付きのフィルタ媒体、および前記テープにより形成されたリザーバに前記接着剤を吐出するステップと；
前記溝付きのフィルタ媒体の溝を横断する方向で、前記溝付きのフィルタ媒体を渡って接着剤を吐出するステップと；
前記巻芯に前記溝付きのフィルタ媒体を巻き付けるステップと；
前記接着剤が前記巻芯、前記溝付きのフィルタ媒体、および前記テープの一部と接するまで、前記リザーバの内部で前記接着剤を発泡させるステップとを備える；
方法。
【請求項２２】
前記発泡させるステップの間に、前記接着剤を前記リザーバに注ぎ込むステップをさらに備える、請求項２１の方法。
【請求項２３】
前記接着剤が前記巻芯および前記溝付きのフィルタ媒体と接するまで、前記リザーバの前記巻芯の対向する側部に設けられた追加されたリザーバの内部で前記接着剤を発泡させるステップをさらに備える、請求項２１又は請求項２２の方法。
【手続補正２】
【補正対象書類名】図面
【補正対象項目名】図１２
【補正方法】変更
【補正の内容】
【図１２】
2011502751.tif 000001